(57)【特許請求の範囲】
【請求項１】
平行に接続された２つの小室（２１６，２１７）を備えた精留塔主要区間（２０４）と、
精留塔主要区間の上方に設けられたラフィネート区間（２０５）と、
少なくとも１個の蒸発器（２０９）を有する、精留塔の下端に設けられた蒸発装置（２０８）と、
ラフィネート排出部（２１１）と凝縮器（２１２）と凝縮器で液化されたラフィネートの一部を還流するための装置（２１３）とを有する、精留塔のヘッドに設けられた構造体（２１０）と、
精留塔主要区間（２０４）とラフィネート区間（２０５）の間に配置された、分離すべき出発混合物を装入するための入口（２１４）と、
ラフィネート区間の上側に配置された、抽出剤を装入するための溶媒入口とを備え、
精留塔主要区間の一方の小室（２１６）の上側と下側が開放し、この小室が物質交換を改善するための内部構造物（２０７）を備え、かつ抽出剤を含む混合物からラフィネートを分離するための複数の理論的分離段を有するストリッピング部分として形成され、他の小室（２１７）の上側が精留塔の内室に対して閉鎖され、下側が開放し、物質交換を促進するための内部構造物（２０７）を含み、そして内部構造物（２０７）の上方の空間内に、実質的に抽出剤を含まない生成物を蒸気の形態で排出しかつ液化された生成物部分流を還流するための装置（２１８，２１９）を備え、精留塔下端部に設けられた精留塔溜め（２２１）が、抽出剤回収のための装置（２２３）によって溶媒入口（２１５）に接続されている、
閉鎖沸騰混合物または共沸混合物を抽出蒸留する精留塔において、
精留塔溜め（２２１）と精留塔主要区間（２０４）との間に、複数の理論的分離段を有する精留塔ストリッピング部分（２２２）が配置され、この精留塔ストリッピング部分内で上側から下側に、抽出剤の濃縮が行われ、精留塔主要区間（２０４）の下方に、ガスを通す捕集底（２３１）が配置され、この捕集底の液体出口が、精留塔主要区間（２０４）の両小室（２１６，２１７）から排出される液体を加熱するための連続加熱器（２３０）に接続され、この連続加熱器（２３０）から出る加熱された混合物が、捕集底（２３１）の下方で精留塔のストリッピング部分（２２２）に供給可能であることを特徴とする精留塔。
【請求項２】
連続加熱器（２３０）の加熱が、精留塔溜め（２２１）から排出される抽出剤流との熱交換によって行われることを特徴とする請求項１記載精留塔。
【請求項３】
精留塔主要区間（２０４）が円筒状の精留塔リングとして形成され、この精留塔リングがラフィネート区間（２０５）を形成する精留塔区間と精留塔ストリッピング部分（２２２）との間に組み込まれ、上側が閉じた小室（２１７）を形成するインサート（２２４）を備えていることを特徴とする請求項１または２記載の精留塔。
【請求項４】
インサート（２２４）が、精留塔リングの外周壁に接続されかつ精留塔の縦方向に延びる隔壁（２２５）と、この隔壁（２２５）と精留塔リングの外周壁区間に接続されたカバー（２２６）とからなっていることを特徴とする請求項１〜３のいずれか一つに記載の精留塔。
【請求項５】
ラフィネート区間（２０５）と精留塔主要区間（２０４）との間に、ガスを通す液体用捕集底（２２７）が配置され、この捕集底（２２７）に液体分配器（２２８）が接続され、この液体分配器が流出する液体を、精留塔主要区間（２０４）の上側が開放した小室（２１６）の内部構造物（２０７）に供給することを特徴とする請求項１〜４のいずれか一つに記載の精留塔。
【請求項６】
ラフィネート領域（２０５）の上方に、ラフィネート浄化のための複数の理論的分離段を有する精留塔区間（２０６）が配置され、この精留塔区間が溶媒入口（２１５）から精留塔のヘッドまで延びていることを特徴とする請求項１〜５のいずれか一つに記載の精留塔。
【発明の詳細な説明】
【０００１】
本発明は、精留塔主要区間と、精留塔主要区間の上方に設けられたラフィネート区間と、
少なくとも１個の蒸発器を有する、精留塔の下端に設けられた蒸発装置と、
ラフィネート排出部と凝縮器と凝縮器で液化されたラフィネートの一部を回収するための装置とを有する、精留塔のヘッドに設けられた構造体と、
精留塔主要区間とラフィネート区間の間に配置された、分離すべき出発混合物を装入するための入口と、
ラフィネート区間の上側に配置された、抽出剤を装入するための溶媒入口とを備えた、  閉鎖（クローズ）沸騰混合物または共沸混合物を抽出蒸留する精留塔に関する。
【０００２】
抽出蒸留するための公知の設備は、上記の精留塔のほかに、他の精留塔を備えている。この精留塔内で、第１の精留塔から排出される溜め生成物が純粋な抽出剤と純粋な製品流に分離される（ＵＬＩＭＡＮＮ 著の技術的な化学の百科全書、第２巻、第４版、第５１１頁；欧州特許第０２１６９９１号）。抽出剤は第２の精留塔の溜めに沈澱し、第１の精留塔の溶媒入口に再び供給される。第２の精留塔のヘッドから、純粋な生成物流（以下、抽出物と呼ぶ）が排出される。抽出剤を回収するための公知の手段の範囲内で必要な第２の精留塔は、複数の理論的分離底を有する浮上部分として形成された、入口の上方の精留塔区間と、ストリッピング部分として形成された、入口の下方の精留塔リングと、溜め加熱装置と、精留塔のヘッドに配置され、生成物排出部と凝縮器と凝縮器内で液化された生成物を部分的に回収するための装置とを有する構造体を備えている。
【０００３】
配管を含めて２個の精留塔を備えた設備を設置するために、かなりのスペースを必要とし、既存の化学設備内に設置しなければならないときに、しばしばスペースが供されない。
【０００４】
ドイツ連邦共和国特許出願公開第３３２７９５２号公報により、抽出蒸留のための精留塔が知られている。この精留塔により、共沸２物質混合物をその個々の成分に分離することができる。精留塔は、平行に接続された２つの小室を有する精留塔主要区間を備えている。この場合、一方の小室の上側と下側は開放し、この小室は抽出剤を含む混合物からラフィネートを分離するためのストリッピング部分として形成されている。他の小室の上側は精留塔の内室に対して閉鎖され、下側だけが開放している。この小室の側方排出部から、実質的に抽出剤を含まない生成物を排出可能である。更に、精留塔下端部に設けられた精留塔溜めは、抽出剤回収のための装置によって溶媒入口に接続されている、
本発明の根底をなす課題は、分離のために必要なストリッピング蒸気量を両小室に供給可能であり、高い純度の抽出剤を精留塔溜めから溶媒入口に戻すことができるように、ドイツ連邦共和国特許出願公開第３３２７９５２号公報によって知られている構造の精留塔を形成することである。
【０００５】
本発明とこの課題の解決策の対象は、
平行に接続された２つの小室を備えた精留塔主要区間と、
精留塔主要区間の上方に設けられたラフィネート区間と、
少なくとも１個の蒸発器を有する、精留塔の下端に設けられた蒸発装置と、
ラフィネート排出部と凝縮器と凝縮器で液化されたラフィネートの一部を還流するための装置とを有する、精留塔のヘッドに設けられた構造体と、
精留塔主要区間とラフィネート区間の間に配置された、分離すべき出発混合物を装入するための入口と、
ラフィネート区間の上側に配置された、抽出剤を装入するための溶媒入口とを備え、
精留塔主要区間の一方の小室の上側と下側が開放し、この小室が物質交換を改善するための内部構造物を備え、かつ抽出剤を含む混合物からラフィネートを分離するための複数の理論的分離段を有するストリッピング部分として形成され、他の小室の上側が精留塔の内室に対して閉鎖され、下側が開放し、物質交換を促進するための内部構造物を含み、そして内部構造物の上方の空間内に、実質的に抽出剤を含まない生成物を蒸気の形態で排出しかつ液化された生成物部分流を還流するための装置を備え、精留塔下端部に設けられた精留塔溜めが、抽出剤回収のための装置によって溶媒入口に接続されている、
閉鎖（クローズ）沸騰混合物または共沸混合物を抽出蒸留する精留塔において、本発明に従い、
精留塔溜めと精留塔主要区間との間に、複数の理論的分離段を有する精留塔ストリッピング部分が配置され、この精留塔ストリッピング部分内で上側から下側に、抽出剤の濃縮が行われ、
精留塔主要区間の下方に、ガスを通す捕集底が配置され、この捕集底の液体出口が、精留塔主要区間の両小室から排出される液体を加熱するための連続加熱器に接続され、
この連続加熱器から出る加熱された混合物が、捕集底の下方で精留塔のストリッピング部分に供給可能であることを特徴とする。
【０００６】
本発明の有利な実施形では、連続加熱器の加熱が、精留塔溜めから排出される抽出剤流との熱交換によって行われる。
【０００７】
本発明により、抽出蒸留設備は、抽出剤を回収するための精留塔区間と抽出物を濃縮するための精留塔区間が統合されるので、精留塔が１個に減少する。抽出剤はラフィネート区間の上方で装入される。出発混合物の成分の一部は好ましくは、抽出物として溶解し、ラフィネート区間において抽出剤流によって洗い落とされる。出発材料の他の部分は、ラフィネートとして蒸気の形態で精留塔ヘッドに移動する。上側と下側が開放した、精留塔主要区間の小室内で、溶解したラフィネート成分が蒸気ストリッピングによって減損する。この小室の下側から、混合物が流出する。この混合物は実質的に抽出剤とその中に溶けた抽出物とからなり、少なくとも溶解したラフィネートの微量を含んでいる。その下に配置された精留塔ストリッピング部分内で、抽出物が蒸気ストリッピングによって抽出剤から除去される。精留塔内で上昇する蒸気の部分流は、下側と上側が開放した精留塔主要区間の小室に入り、ラフィネートをストリッピングする。他の部分流は、精留塔の内室に対して上側が閉じた精留塔主要区間の第２の小室に入る。この小室（以下、生成物区間とも呼ぶ）では、溶媒分圧に相応して生成物蒸気と共に上昇する抽出剤が、生成物還流によって減損し、生成物還流によって精留塔ストリッピング部分に案内される。精留塔溜めには、抽出剤がほぼ純粋な形態で沈澱する。抽出剤は冷却され、ラフィネート区間の上方の溶媒入口に再び供給される。
【０００８】
本発明の範囲内では、精留塔主要区間がほぼ並べて配置された独立した２個の円筒状の精留塔リングからなり、この精留塔リングはその下端のところで、分配器によって精留塔ストリッピング部分に接続されている。しかし、精留塔主要区間が円筒状の精留塔リングとして形成され、この精留塔リングがラフィネート区間を形成する精留塔区間と精留塔ストリッピング部分との間に組み込まれ、上側が閉じた小室を形成するインサートを備えていると有利である。インサートは円筒状に形成され、中央に配置可能である。しかし、インサートが精留塔リングの外周壁に接続されかつ精留塔の縦方向に延びる隔壁と、この隔壁と精留塔リングの外周壁区間に接続されたカバーとからなっていると、構造が簡単で有利である。隔壁は精留塔リングの横断面を２つの区間に分割する。区間の分割は、両小室への上昇する蒸気の必要な分配に合わせて行われる。
【０００９】
ラフィネート区間と精留塔主要区間との間に好ましくは、ガスを通す液体用捕集底が配置され、この捕集底に液体分配器が接続され、この液体分配器が流出する液体を、精留塔主要区間の上側が開放した小室の内部構造物に供給する。
【００１０】
本発明による精留塔はラフィーネ領域の上方に、ラフィネート浄化のための精留塔区間を有し、この精留塔区間は溶媒入口から精留塔のヘッドまで延び、通常は複数の理論的分離段を備えている。
【００１１】
本発明による精留塔は狭い空間で抽出蒸留を可能にする。これは例えば、狭いスペースの既存の化学設備において、製造能力を拡大するために付加的な抽出蒸留設備を設置しなければならないときに有利である。驚くべきことに、本発明による精留塔は、技術水準に従って形成された、２個の精留塔を備えた設備よりもはるかに狭いスペースで済むというだけでなく、装入能力、生成物純度および生成物収量が同じであるときに、必要なエネルギーが大幅に低減されるということが判った。これは次の実施の形態に基づいて明らかになる。
【００１２】
次に、１つの実施の形態を示す図に基づいて、本発明を説明する。
【００１３】
閉鎖沸騰混合物（クローズ沸騰混合物）または共沸混合物を抽出蒸留するための技術水準による設備は、互いに接続された２つの蒸留塔１０１，１０２からなっている（図１）。オーバーヘッド生成物１０３が純粋な形で分離される第１の蒸留塔１０１は、下側から上側に向けて、蒸留塔主要区間１０４と、ラフィネート区間１０５と、ラフィネート浄化のための蒸留塔区間１０６とを備えている。蒸留塔区間は蒸気相と液相の間で物質交換を促進するための、例えば充填物構造体の形をした内部構造物を含んでいる。この内部構造物１０７はそれぞれ複数の理論的分離段を形成する。蒸留塔下端部には、蒸発装置１０８が設けられている。この蒸発装置は本実施の形態では、上下に配置された２個の連続流式蒸発器１０９を備えている。蒸留塔ヘッドはラフィネート排出部１１１と、凝縮器１１２を備えた構造体１１０と、凝縮器１１２内で液化されたラフィネートの一部を還流するための装置１１３を備えている。
【００１４】
分離すべき炭化水素混合物、例えば香気物質／非香気物質、オレフィン／パラフィンまたはオレフィン／パラフィン／ジオレフィンは、蒸留塔主要区間１０４とラフィネート区間１０５との間に配置された入口１１４を経て蒸留塔に装入される。抽出剤、例えば炭化水素混合物を分離するための極性溶媒は、溶媒入口１１５を経てラフィネート区間１０５の上側に供給される。凝縮器１１２を水で凝縮し、冷やすことにより、蒸留塔のヘッドから、香気物質またはオレフィン／ジオレフィンの乏しいオーバーヘッド生成物（ラフィネート）が蒸気の形態で排出される。凝縮物の一部は蒸留塔１０１に戻され、そこで抽出剤の微量を逆洗するために役立つ。この抽出剤はその分圧に従って蒸留塔１０１からラフィネートと共に出る。ラフィネートを蒸発させためおよび蒸留塔の下側部分で汚染物をストリッピングするために必要な蒸気は、電気的に加熱される蒸発器１０９によって発生させられる。蒸留塔１０１の溜めには、実質的に抽出剤と香気物質、オレフィンまたはジオレフィンからなる混合物が沈澱する。溜め混合物は管路１１６を経て第２の蒸留塔１０２に案内される。この第２の蒸留塔は以下、ストリッパー蒸留塔と呼ぶ。このストリッパー蒸留塔１０２は入口１１６の上方の浮上部分（膨張部分）１１７と、入口１１６の下方のストリッピング部分１１８を備え、同様に、物質交換を促進するための内部構造物１０７、例えば充填物構造体を含んでいる。ストリッパー蒸留塔１０２は溜め加熱装置１１９を備え、蒸気の形態のオーバーヘッド生成物を排出し、凝縮し、オーバーヘッド生成物の一部を蒸留塔１０２に戻すためのヘッド側の構造体１２０を備えている。例えば２個の強制連続蒸発器からなる溜め加熱装置１１９は、分離すべき炭化水素製品と抽出剤の一部を蒸発させる。蒸気は管路１２１を経て蒸留塔から出て、後続配置の凝縮器１２２内で水によって凝縮され、かつ冷やされる。凝縮物の一部は還流管路１２３を経て蒸留塔１０２に再び供給され、そこで微量の抽出剤を逆洗する働きをする。残りは管路１２４を経て純製品として排出される。蒸留された抽出剤はストリッパー蒸留塔１０２の溜めから排出され、熱交換器１２５において水によって、抽出蒸留のために必要な温度まで冷やされ、そして抽出剤戻し装置１２６を経て第１の蒸留塔１０１に戻される。
【００１５】
図２に示した本発明による精留塔２０１は同様に下側から上側に向けて、精留塔主要区間２０４と、ラフィネート区間２０５と、ラフィネート区間の上方にある、ラフィネート浄化のための精留塔区間２０６を備えている。精留塔区間２０４，２０５，２０６は、蒸気相と液相の間で物質交換を促進するための内部構造物２０７、例えば充填物構造体を備えている。下側の精留塔端部には、少なくとも１個の蒸発器２０９を備えた蒸発装置２０８が設けられている。精留塔のヘッドには、ラフィネート排出部２１１と、凝縮器２１２と、凝縮器２１２内で液化されたラフィネートの一部を戻すための装置２１３とを備えた構造体２１０が設けられている。分離すべき物質混合物、例えば香気物質／非香気混合物、オレフィン／パラフィン混合物またはオレフィン／パラフィン／ジオレフィン混合物は、入口２１４を経て、精留塔主要区間２０４とラフィネート区間２０５の間に装入される。抽出剤は溶媒入口２１５からラフィネート区間２０５の上側に供給される。これらの点では、精留塔２０１の構造は技術水準と同一である。
【００１６】
精留塔主要区間２０４は本発明に従い、平行に接続配置された２つの小室２１６，２１７を備えている。一方の小室２１６は上側と下側が開放し、蒸気相と液相の間で物質交換を改善するための内部構造物２０７を備え、抽出剤を含む混合物からラフィネートを分離するための複数の理論的分離段を蒸留部分として備えている。他の小室２１７は上側が閉鎖され、下側が開放している。この小室は同様に、蒸気相と液相の間で物質交換を改善するための内部構造物２０７を備えている。内部構造物２０７の上方の一方の小室内には、実質的に抽出剤を含まない抽出物の蒸気の形態の生成物排出のための装置と、凝縮器２２０で液化された生成物部分流を戻すための装置が設けられている。本発明に従い更に、精留塔溜め２２１と抽出塔主要区間２０４との間には、抽出塔ストリッピング部分２２２が配置されている。この抽出塔ストリッピング部分内で、上側から下側に、抽出剤の濃縮が行われる。精留塔ストリッピング部分２２２は内部構造物２０７を備えている。この内部構造物は複数の理論的分離段を形成している。精留塔溜め２２１は抽出剤戻し装置２２３によって溶媒入口２１５に接続されている。
【００１７】
精留塔主要区間２０４は円筒状の精留塔リングとして形成されている。この精留塔リングはラフィネート区間２０５を形成する精留塔区間と、精留塔ストリッピング部分２２２との間に組み込まれ、インサート２２４を備えている。このインサート２２４は本実施の形態では精留塔リングの外周壁に接続されかつ精留塔の縦方向に延びる隔壁２２５と、カバー２２６とからなっている。このカバーは隔壁２２５と精留塔リングの外周壁部分に接続されている。精留塔主要区間２０４の上方には、ガスを通す液体用捕集底２２７が配置されている。この捕集底２２７で捕集される液体は液体分配器２２８を経て、精留塔主要区間２０４の上側が開放した小室２１６の内部構造物２０７に供給され、しかも入口２１４を経て供給される出発混合物と共に供給される。
【００１８】
精留塔ストリッピング部分２２２と精留塔主要区間２０４との間には、精留塔主要区間２０４の両小室２１６，２１７から出る液体を加熱するための装置２２９が配置されている。この装置は連続加熱器２３０を備えている。精留塔主要区間２０４の下方には、ガスを通す捕集底２３１が配置され、この捕集底は連続加熱器２３０に接続された液体出口を備えている。連続加熱器２３０から出る加熱された混合物は捕集底２３１の下方で、精留塔のストリッピング部分２２２に供給可能である。
【００１９】
溶媒入口２１５から精留塔２０１のヘッドまで延びる上側の精留塔区間２０６は、ラフィネート浄化のために役立つ。液状の還流ラフィネートはヘッドに供給される。この場合、上昇する蒸気との物質交換により、抽出剤の残りが蒸気流から分離される。この精留等区間２０６の下端には、抽出剤を含むラフィネートが液状に溜まる。このラフィネートは溶媒入口２１５を経て供給された抽出剤と混合され、ラフィネート区間２０５に導入される。ラフィネート区間２０５の下側から排出される液体は、分離すべき供給混合物２１４と共に、上側と下側が開放した小室２１６に供給される。この小室は精留塔主要区間２０４のストリッピング部分を形成する。精留塔主要区間２０４のストリッピング部分２１６から下側に流出する液体は実質的に、抽出剤と、抽出剤によって一緒に運ばれて来た抽出物、例えば香気物質、オレフィン、ジオレフィンからなっている。この液体は精留塔主要区間２０４の第２の小室２１７の下側から流出する、少量の抽出剤を含む液体と混合され、装置２２９によって熱を供給した後で、下側に接続された精留塔ストリッピング部分２２２に導入される。上昇する蒸気との物質交換により、溜め生成物が生じる。この溜め生成物は実質的に純粋な抽出剤からなっている。精留塔ストリッピング部分２２２から上昇する、抽出物を多く含む蒸気は、部分流として、精留塔主要区間２０４の上側と下側が開放した小室２１６に入り、ラフィネートをストリッピングするために役立つ。他の部分は上側が閉じた精留塔主要区間２０４の小室２１７を通過する。この場合、液状のオーバーヘッド生成物２１９との物質交換により、抽出剤の残りは蒸気から分離される。ほぼ純粋な抽出蒸気は小室２１７の上端から管路２１８によって排出され、凝縮器２２０で液化される。部分流は還流管路２１９を経て精留塔２０１に再び供給され、他の部分は生成物管路２３２に排出される。精留塔下端部でほぼ純粋な形で生じる抽出剤は、精留塔溜め２２１に付設された蒸発器２０９を通って案内される。この場合、部分流が蒸発し、蒸気として精留塔ストリッピング部分２２２内に上昇する。精留塔溜め２２１から液状抽出剤が排出され、熱交換器２３３内で冷却水によって、分離供給のために必要な温度に冷やされ、溶媒入口２１５を経て再び精留塔２０１に供給される。
【００２０】
図３に示した本発明による精留塔の実施の形態の場合には、連続加熱器２３０の加熱は精留塔溜め２２１から排出される抽出剤流との熱交換によって行われる。後続配置の熱交換器２３３では、液状抽出剤は続いて、分離供給のために必要な温度まで更に冷やされ、溶媒入口２１５を経て再び精留塔２０１に供給される。
【００２１】
本発明による精留塔については、多彩な用途がある。供給製品として、完全に還元された熱分解ガソリン、接触改質ガソリンまたは水素化精製されたコークス炉ベンゼンの留分を使用することができる。水蒸気分解またはＦＣＣ分解のＣ４ 留分は、ブタジエンおよびまたはブテンを製出するために使用可能である。水蒸気分解またはＦＣＣ分解のＣ４ 留分から、本発明の精留塔によって、イソプレンおよびまたはピペリレンが製出可能である。抽出剤としての極性溶媒によって、完全に還元された熱分解ガソリン、接触改質ガソリンまたは水素化精製されたコークス炉ベンゼンのＣ６ 留分から、高い純度のベンゼンが製出される。完全に還元された熱分解ガソリン、接触改質ガソリンまたは水素化精製されたコークス炉ベンゼンのＣ６ ／Ｃ７ 留分から、本発明による精留塔を使用して、高い純度のベンゼンと低質のトルエンが製出可能である。完全に還元された熱分解ガソリン、接触改質ガソリンまたは水素化精製されたコークス炉ベンゼンのＣ６ ／Ｃ７ ／Ｃ８ 留分から、本発明による精留塔によって、高い純度のベンゼンと低質のトルエンとＣ８ 香気物質が製出可能である。粗製熱分解ガソリンのＣ８ 留分から、重合品質を有するスチレンを製出可能である。炭化水素を分離するための抽出剤としては、極性溶媒が適している。本発明による精留塔の運転時にも使用可能である、実際に有効な抽出蒸留のための抽出剤は、スルホラン、Ｎ−メチルピロリドン、ジメチルアセトアミド、アセトニトリル、ジチルスルホキシド、ジメチルフォルムアミド、エチレングリコールおよびこれらの物質の混合物である。更に、抽出剤としては、モルホリン、Ｎ−置換モルホリン、場合によっては上述の抽出剤との混合物を使用可能である。上述の抽出剤に水を添加してもよい。
【００２２】
比較試験
図１に示した設備と図２に示した精留塔によって、比較試験を行った。図１による技術水準に従って形成された設備の両蒸留塔１０１，１０２は、それぞれ７２ｍｍの直径を有し、充填物構造体を備えていた。抽出作動する第１の蒸留塔１０１内の充填物高さは全体で５．５ｍであり、充填物構造体は次のように分配されていた。
蒸留塔主要区間（１０４）：                      ３ｍの充填物高さ
ラフィネート区間（１０５）：                    ２ｍの充填物高さ
ラフィネート領域の上方の蒸留塔部分（１０６）：  ０．５ｍの充填物高さ
ストリッパー蒸留塔１０２は全体の高さが３ｍの充填物構造体を有し、蒸留分１１８の充填物高さが１ｍで、上昇部分１１７の充填物高さが２ｍであった。
【００２３】
本発明に従って図２に示すように形成された精留塔２０１は同様に、７２ｍｍの直径を有し、充填物構造体を備えていた。この充填物構造体は次のように分配されていた。
精留塔ストリッピング部分（２２２）：            １ｍの充填物高さ
精留塔主要区間のストリッピング部分（２１６）：  ３ｍの充填物高さ
精留塔主要区間の平行な小室（２１７）：          ２ｍの充填物高さ
ラフィネート区間（２０５）：                    ２ｍの充填物高さ
ラフィネート浄化用の上側の精留塔区間（２０６）：０．５ｍの充填物高さ
例１：
完全に還元された熱分解ガソリンのＣ６ 部分から、純粋ベンゼンの製出が試みられた。投入混合物は次の組成を有していた。
【００２４】
0003581657.tif 000002
選択的な溶媒として、Ｎ−フォルミルモルホリンが使用された。次の表は、２個の蒸留塔を備えた技術水準による設備（Ｉ）と、本発明による精留塔（ＩＩ）との抽出蒸留の結果を比較して示す。物質流れ、加熱出力、ベンゼン収量および製品純度が記載されている。製品収量と製品純度がほぼ同一の値の場合、本発明による精留塔の運転は、技術水準に従って形成された設備の加熱出力と比較して、１６．３％だけ小さい加熱出力を必要とする。
0003581657.tif 000003
0003581657.tif 000004
例２：
接触改質ガソリンのＣ７ 部分から、ニトロ化品質を有するトルエンと純粋ベンゼンの製出が試みられた。投入混合物は次の組成を有していた。
【００２５】
0003581657.tif 000005
抽出蒸留の選択的な溶媒として、Ｎ−フォルミルモルホリンが使用された。次の表は、２個の蒸留塔を備えた技術水準による設備（Ｉ）と、本発明による精留塔（ＩＩ）との抽出蒸留の結果を比較して示す。物質流れ、加熱出力、製品管路１２４または２３２から排出される香気製品の組成が記載されている。ベンゼン収量とトルエン収量と香気物質の組成がほぼ同一の値の場合、本発明による精留塔は、加熱出力の１７．９％の大幅な低減を可能にする。
0003581657.tif 000006
後続配置の分留する蒸留塔では、純粋香気製品がニトロ化品質を有するトル  ンと純粋ベンゼンに分離可能である。
例３：
接触改質ガソリンのＣ６ 部分から、純粋ベンゼンの製出が試みられた。投入混合物は次の組成を有していた。
【００２６】
0003581657.tif 000007
抽出蒸留の選択的な溶媒として、Ｎ−フォルミルモルホリンが使用された。次の表は、２個の蒸留塔を備えた技術水準による設備（Ｉ）と、本発明による精留塔（ＩＩ）との抽出蒸留の結果を比較して示す。物質流れ、加熱出力、ベンゼン収量および製品純度が記載されている。製品収量と製品純度がほぼ同一の値の場合、本発明による精留塔の運転は、技術水準に従って形成された設備の加熱出力と比較して、２９．２％だけ小さい加熱出力を必要とする。
0003581657.tif 000008
0003581657.tif 000009
【図面の簡単な説明】
【図１】閉鎖沸騰混合物または共沸混合物を抽出蒸留するための技術水準による設備を示す図である。
【図２】抽出蒸留のための本発明による精留塔を示す図である。
【図３】本発明による精留塔の他の実施の形態を示す図である。
【図１】
0003581657.tif 000010
【図２】
0003581657.tif 000011
【図３】
0003581657.tif 000012